(57)【要約】【課題】  本発明は、スペース効率の良好なケーブル配設構造をもった電子機器の提供を目的とする。【解決手段】  ヒンジ装置２０は第１のブラケット２１、回転軸２５、第２のブラケット２６を有する。第１のブラケット２１は、スピーカー実装部２１ａ、このスピーカー実装部２１ａから延出される固定ブラケット２２および回転軸２５に結合される結合部２１ｂを有する。スピーカー実装部２１ａには機能部品であるスピーカー２９が実装される。固定ブラケット２２にはスピーカー２９より延出されるケーブル３１が配設される。固定ブラケットは梯子状に形成され、一対の支持壁２７ａ，２７ｂを有しており、これらの間には複数の上部連結壁２８ａと複数の下部連結壁２８ｂとが設けられる。ケーブル３１は一対の支持壁２７ａ，２７ｂの間に配設され、かつ上部連結部２８ａと下部連結部２８ｂとの間を縫うように配設されている。【選択図】  図３
2005217297.tif 000002
【特許請求の範囲】
【請求項１】
第1の筐体と、
第２の筐体と、
上記第１の筐体と上記第２の筐体とを回動可能に結合するヒンジ装置と、
上記第１の筐体と上記第２の筐体とのいずれか一方に内蔵される機能部品と、
上記第１の筐体と上記第２の筐体とのいずれか一方に内蔵される回路基板と、
上記機能部品と上記回路基板とを電気的に接続するケーブルと、
を具備し、
上記ヒンジ装置は、
上記第１の筐体固定されるとともに上記第１の筐体の側部に沿って延びる第１のブラケ
ットと、
上記第２の筐体内に固定される第２のブラケットと、
上記第１のブラケットと上記第２のブラケットとが結合される回転軸と、
上記第１のブラケットに設けられ、上記ケーブルを上記第１のブラケットの長手方向に
保持する保持部材と、
を具備することを特徴とする電子機器。
【請求項２】
上記保持部材は上記第１のブラケットと一体に形成されることを特徴とする請求項１記載
の電子機器。
【請求項３】
上記保持部材は内部空間を有し、この内部空間に上記ケーブルが配設されることを特徴と
する請求項１記載の電子機器。
【請求項４】
上記第１のブラケットは上記機能部品を実装する実装部を有することを特徴とする請求項
１記載の電子機器。
【請求項５】
上記機能部品はスピーカーであることを特徴とする請求項４記載の電子機器。
【請求項６】
上記回路基板は第１の筐体に内蔵され、上記機能部品はアンテナであり上記第２の筐体に
内蔵されることを特徴とする請求項１記載の電子機器。
【発明の詳細な説明】
【技術分野】
【０００１】
本発明は、電子機器に関し、特にケーブル配設構造に関する。
【背景技術】
【０００２】
現在、ノート型コンピュータ等の電子機器は表示パネルの大型化に伴い表示部筐体も大
型化し表示部の重量も増加している。そのために、本体と表示部とを接続するヒンジ装置
も大型化され、回転トルクも大きくなってきている。このようなヒンジ装置は本体筐体内
部及び表示部筐体内部にそれぞれ結合されるヒンジブラケットを有し、これらヒンジブラ
ケットは本体及び表示部の接続剛性確保の為に大型化されてきている。このようなヒンジ
ブラケットは本体筐体の側部及び表示部筐体側部に沿ってそれぞれ延びている。
近年、ノート型コンピュータはマルチメディア機能が充実されており、一般的にステレオ
スピーカーが内蔵されている。これらスピーカユニットは大型化されたヒンジデバイスに
実装されるものもある。（特許文献１参照。）。
【特許文献１】特開２００３−８７３７８号公報（第３頁、第２図、第３図）
【発明の開示】
【発明が解決しようとする課題】
【０００３】
特許文献１にはヒンジ装置にスピーカーが実装される構造が開示されている。このよう
な構造は通常、スピーカーから本体内部の基板までを電気的接続するケーブルは、確実に
配置位置が決められておらず、スペース効率が低下し、さらには組み立て時に筐体の上下
ケース間あるいは部品間に挟まれたりすることも考えられる。
【０００４】
そこで、本発明は、スペース効率の良好なケーブル配設構造をもった電子機器の提供を
目的とする。
【課題を解決するための手段】
【０００５】
上記目的を達成するために、請求項１に係る発明では、第1の筐体と、第２の筐体と、
第１の筐体と第２の筐体とを回動可能に結合するヒンジ装置と、第１の筐体と第２の筐体
とのいずれか一方に内蔵される機能部品と、第１の筐体と第２の筐体とのいずれか一方に
内蔵される回路基板と、機能部品と回路基板とを電気的に接続するケーブルと、を具備し
、ヒンジ装置は、第１の筐体固定されるとともに第１の筐体の側部に沿って延びる第１の
ブラケットと、第２の筐体内に固定される第２のブラケットと、第１のブラケットと第２
のブラケットとが結合される回転軸と、第１のブラケットに設けられ、ケーブルを第１の
ブラケットの長手方向に保持する保持部材と、を具備することを特徴とする。
【発明の効果】
【０００６】
本発明によれば、本発明は、スペース効率の良好なケーブル配設構造をもった電子機器
の提供することが出来る。
【発明を実施するための最良の形態】
【０００７】
以下本発明に係る実施の形態を、図面を参照して説明する。
図１は、電子機器の斜視図である。図１に示すようにコンピュータ等の電子機器１は本体
２を有している。本体２の筐体は上ケース３及びこの上ケース３に結合される下ケース４
を有している。上ケース３の上面にはキーボード５が実装されている。本体２にはヒンジ
部６を介して表示部７が本体２に対してキーボード５を覆う閉位置とキーボード５を露出
する開位置との間で回動可能に接続されている。表示部７には表示パネル８が内蔵されて
おり、表示部７の前面より露出されている。本体２の後方には上ケース３の一部を形成す
るカバー９が設けられている。カバー９の上面の両側部には後述する内部に実装されたス
ピーカーからの音を放出する一対のスピーカー孔１０が設けられている。
【０００８】
図２は、電子機器の上カバーを外した状態の斜視図である。図３は、ヒンジ装置の斜視
図である。本実施の形態においては一対のヒンジ装置２０は略同じ形状をしているため、
一方についてのみ説明する。
【０００９】
下ケース４は側部４ａを有している。側部４ａには位置決めに用いられる複数の突起１
２ａ，１２ｂ，１２ｃが一体形成されている。下ケース４の後方にはヒンジ装置２０が実
装されている。
【００１０】
図３に示すように、ヒンジ装置２０は下ケース４に実装される第１のブラケット２１、
この第１のブラケット２１が結合される回転軸２５および表示部７内部に固定される第２
のブラケット２６を有している。第１のブラケット２１は、スピーカー実装部２１ａ、こ
のスピーカー実装部２１ａから延出される固定ブラケット２２および回転軸２５に結合さ
れる結合部２１ｂを有しており、これらはアルミダイカストにより一体形成されている。
第２のブラケット２６は回転軸２５に結合される結合部２６ａを有している。
【００１１】
第１のブラケット２０のスピーカー実装部２１ａは略四角形上に形成されており、この
スピーカー実装部２１ａと略直角を成すように固定ブラケット２２が設けられている。こ
のようなスピーカー実装部２１ａと固定ブラケット２２との間には補強の為の結合部２３
が設けられている。スピーカー実装部２１ａには機能部品であるスピーカー２９が複数の
保持爪３０により実装されている。スピーカー実装部２１ａ及び固定ブラケット２２には
下ケース４に実装する際の複数の位置決め孔２４ａ，２４ｃ、２４ｅと、下ケース４にね
じ固定するための複数のねじ孔２４ｂ、２４ｄが設けられている。
【００１２】
図２に示すように、下ケース４には光ディスクドライブユニット１３が内蔵されており
、下ケース４の側部４ａには光ディスクドライブユニット１３のトレイが出し入れされる
開口部１１が設けられている。下ケース４の後方にヒンジ装置２０を実装する際、第１の
ブラケット２１に設けられている位置決め孔２４ａ，２４ｃ、２４ｅが側部４ａに設けら
れている突起１２ａ，１２ｂ，１２ｃに挿入されることでヒンジ装置２０を本体２内部に
位置決めされる。この状態で固定ブラケット２２の端部２２ａは、ねじ孔２４ｂを介して
ねじ１４ａにより下ケース４にねじ固定される。同様にスピーカー実装部２１ａは、ねじ
孔２４ｄを介してねじ１４ｂにより下ケース４にねじ固定されている。
【００１３】
次にスピーカー２９から延出されるケーブル３１の配設構造について説明する。
図４は、図３における断面線ＡＡ’における断面図である。図５は、図３における断面線
ＢＢ’における断面図である。
【００１４】
図３に示すように、固定ブラケット２２にはスピーカー２９より延出されるケーブル３
１が配設される。固定ブラケットは梯子状に形成されており、一対の支持壁２７ａ，２７
ｂを有している。この一対の支持壁２７ａ，２７ｂは互いに対向してかつ所定の間隔を保
持して略平行に延びている。この一対の支持壁２７ａ，２７ｂの間には互いを結合する複
数の上部連結壁２８ａと複数の下部連結壁２８ｂとを有している。
【００１５】
図４及び図５に示すように、上部連結壁２８ａと下部連結壁２８ｂは互い違いに一対の
支持壁２７ａ，２７ｂの上部および下部に設けられており、所定の間隔で設けられている
。ケーブル３１は一対の支持壁２７ａ，２７ｂの間に配設され、かつ上部連結部２８ａと
下部連結部２８ｂとの間を縫うように配設されている。従って、これら上部連結部２８ａ
及び下部連結部２８ｂはケーブル３１を支持する支持部材として機能する。ケーブル３１
の先端にはコネクタ３１が設けられており、このコネクタを図示しない本体２内部の回路
基板に設けられているコネクタに接続することでスピーカーと回路基板とを電気的に接続
することが出来る。ケーブル３１は固定ブラケット２２の略全長に亘って配設されており
、スピーカー２９から図示しない本体内部の回路基板までを効率よく配設することでスペ
ース効率を向上することが出来る。
【００１６】
本実施の形態においては上部連結部２８ａ，下部連結部２８ｂとを支持壁２７ａ，２７
ｂの上下に設けるように構成したが、一対の支持壁２７ａ，２７ｂの高さ方向の略中央付
近に同じ高さに設けても良い。
【００１７】
図６は、第２の実施の形態に係るヒンジ装置の斜視図である。第２の実施の形態に係る
ヒンジ装置６０は第１の実施の形態にかかるヒンジ装置２０とは固定ブラケット６１が変
更されているだけであり、他の構成については説明を省略する。固定ブラケット６１は断
面コ字状に形成されており、一対の支持壁５２，５３と、これら一対の支持壁５２，５３
を互いに所定の間隔を保持して結合する連結壁５４を有している。
【００１８】
図７は、ケーブル保持部材の斜視図である。図８は、第２の実施の形態に係るヒンジ装
置のブラケットとケーブル保持部材とケーブルとの関係を示した図である。
【００１９】
図７に示すように固定ブラケット６１にはケーブルを支持するための支持部材４０が設
けられる。支持部材４０はプラスチックシート、ビニールシート等により形成されている
。支持部材４０は一対の側壁４１、４３を有しており、この一対の側壁４１，４３を結ぶ
底壁４２を有している。一方の側壁４３からは上壁４４が延び、この上壁４４の側壁４３
に連結しない一端からは下方に延びる固定壁４５を有しており、断面「の」字状に形成さ
れている。この支持壁４０は固定ブラケット２２の長手方向に延びており、一対の側壁４
１，４３及び底壁４２、上壁４４により内部にトンネル上の空間を有している。ケーブル
はこの空間内に配設される。ケーブルを空間内に入れるときは固定壁４５を側壁４１より
話す方向に弾性変形させた状態で側壁４１と上壁４４との間に出来たスペースを介して内
部空間に配設される。固定壁４５は上述した弾性変形状態から側壁４１方向に復帰する。
【００２０】
図８に示すように支持部材４０の底壁４２は両面テープ等の固定部材５０により固定ブ
ラケット２２の連結壁５４の上面に固定される。このとき側壁４１と固定壁４５との間に
固定ブラケット２２の支持壁５３を挿入させる。次に固定壁４５の内面４５ａと側壁５３
とを両面テープ等の固定部材５１により固定する。
【００２１】
このような構成とすることで例えば本体２の下ケース４と上ケース３とを結合する際に
ケーブルを上下のケース間で挟んだりすることはない。さらに支持部材によりケーブルブ
ラケットに取り付けるため、作業性が向上する。
【００２２】
本発明ではその主旨を逸脱しない範囲であれば、上記の実施形態に限定されるものでは
ない。上述した支持部材の変わりにブラケットに一体的にケーブルを保持するフックを設
けることも可能である。さらに、本実施の形態においては機能部品としてスピーカーを例
にして説明したが、例えば無線用のアンテナと無線モジュールとを接続する同軸ケーブル
の配設を上述したようなヒンジ装置のブラケットに配設することも可能である。このよう
な場合、通常無線アンテナは表示部側に配置されているため、本字装置の表示部内に固定
されるブラケットに同様のケーブル支持部材を一体形成しても良く、別部材として設けて
も良い。
【図面の簡単な説明】
【００２３】
【図１】電子機器の斜視図。
【図２】電子機器の上カバーを外した状態の斜視図。
【図３】ヒンジ装置の斜視図。
【図４】図３における断面線ＡＡ’における断面図。
【図５】図３における断面線ＢＢ’における断面図。
【図６】第２の実施の形態に係るヒンジ装置の斜視図。
【図７】ケーブル保持部材の斜視図。
【図８】第２の実施の形態に係るヒンジ装置のブラケットとケーブル保持部材とケーブルとの関係を示した図。
【符号の説明】
【００２４】
１…電子機器、２…本体、３…上ケース、４…下ケース、４ａ…側部、５…キーボード、
７…表示部、１０…スピーカー孔、１２ａ，１２ｂ，１２ｃ…突起、２０、６０…ヒンジ
装置、２１…第１のブラケット、２２，６１…固定ブラケット、２５…回転軸、２６…第
２のブラケット、２９…スピーカー、３０…保持爪、３１…ケーブル、３１ａ…コネクタ
、２４ａ，２４ｃ、２４ｅ…位置決め孔、２４ｂ，２４ｄ…ねじ孔、２７ａ，２７ｂ，５
２，５３…支持壁、２８ａ…上部連結壁、２８ｂ…下部連結壁、５４…連結壁
４０…支持部材、４１，４３…側壁、４２…底壁、４４…上壁，４５…固定壁、５０，５
１…固定部材
【図１】
2005217297.tif 000003
【図２】
2005217297.tif 000004
【図３】
2005217297.tif 000005
【図４】
2005217297.tif 000006
【図５】
2005217297.tif 000007
【図６】
2005217297.tif 000008
【図７】
2005217297.tif 000009
【図８】
2005217297.tif 000010